(57)【要約】【課題】従来菩提寺の僧侶が檀家の故人の命日や回忌に檀家を訪問し読経しお布施を受ける訪問読経が一般的であるが、訪問読経では菩提寺と檀家の距離が離れている場合は実現が困難である。特に都会ではこの傾向が強く、都会の檀家で菩提寺の僧侶に読経してもらいたいという要望はあっても実現できないことが多い。【解決手段】檀家は端末から仲介者が運営するホームページ等にアクセスし、菩提寺、日時など申込情報を入力する。菩提寺は申込情報を確認し檀家に指定された日時にお経や画像を送信する。このように通信システムを利用してお経の授受を行う。【選択図】図１
2004078871.tif 000002
【特許請求の範囲】
【請求項１】
双方向型テレビ通信システム又はインターネットによる通信システム又はモバイル通信システム又は携帯電話等による通信システム（以下まとめて双方向型通信システム）を利用して、檀家が檀家の双方向型テレビ又はコンピュータ又はモバイル通信端末又は携帯電話等から双方向型通信システム上で仲介者が運営するコンテンツ（以下番組）又はホームページにアクセスし、宗派又は菩提寺、日時など申込情報を入力し、仲介者が運営する番組又はホームページから菩提寺の双方向型テレビ又はコンピュータ又はモバイル通信端末又は携帯電話等に送信し、菩提寺が指定された日時にお経を檀家に送信することを可能にするお経授受の方法。
【請求項２】
請求項１に記載のお経授受の方法において、申込情報を仲介者が運営する番組又はホームページから菩提寺の双方向型テレビ又はコンピュータ又はモバイル通信端末又は携帯電話等に送信するのではなく、菩提寺が仲介者が運営する番組又はホームページにアクセスして申込み情報を確認して指定された日時にお経を檀家に送信することを可能にするお経授受の方法。
【請求項３】
請求項１、２に記載のお経授受の方法において、菩提寺の指定がない場合仲介者が宗派に適したお寺に申込情報を送信して、申込情報を送信されたお寺がお経を指定された日時に檀家に送信することを可能にするお経授受の方法。
【請求項４】
請求項１、２に記載のお経授受の方法において、菩提寺の指定がない場合仲介者が宗派に適したお経を指定された日時に檀家に送信することを可能にするお経授受の方法。
【請求項５】
請求項１、２、３、４に記載のお経授受の方法において、音声だけでなく僧侶が読経している映像又は宗派に関わる映像又はお経に関わる映像又は檀家の指定した映像などを送信することを可能にするお経授受の方法。
【発明の詳細な説明】
【０００１】
【発明の属する技術分野】
本発明は双方向型の通信システムを利用したお経授受の方法に関する。
【０００２】
【従来の技術】
従来の技術では菩提寺の僧侶が檀家の故人の命日や回忌に檀家を訪問し読経しお布施を受ける訪問読経が一般的である。
この訪問読経では菩提寺と檀家の距離が離れている場合は実現が困難である。特に都会ではこの傾向が強く、都会の檀家で菩提寺の僧侶に読経してもらいたいという要望はあっても実現できないことが多い。
図１０で従来の訪問読経におけるお経の授受を説明する。
檀家５は故人の命日、回忌の前に菩提寺６に電話、ファクシミリ、口頭などで読経依頼１５を実行する、すなわち依頼する。菩提寺は訪問１６を実行して、すなわち訪問して、檀家にて読経する。
地方では菩提寺と檀家のつながりが深く、菩提寺が檀家の故人の命日、回忌を知っており、読経依頼がなくとも訪問し読経する場合もある。
【０００３】
【発明が解決しようとする課題】
本発明では双方向型通信システムを利用して菩提寺と檀家の距離が離れていても訪問読経に替わるお経授受を可能にすることを目的とする。
【０００４】
【課題を解決するための手段】
上記目的を達成する為、請求項１、２、３、４記載の発明では双方向型通信システムを利用した読経の申込みとお経の送信すなわちお経授受を提供する。
請求項５記載の発明では音だけでなく画像も送信し訪問読経に近いお経授受を提供する。
【０００５】
【発明の実施の形態】
図１により檀家、仲介者、菩提寺の読経の申込みからお経の送信に関わる情報の流れすなわちお経授受の方法を説明する。
檀家は檀家の双方向型テレビ又はコンピュータ又はモバイル通信端末又は携帯電話等（以下檀家の端末）１から仲介者が運営する番組又はホームページ等２にアクセスする。檀家は番組又はホームページ等に菩提寺、日時など申込情報１１を入力する。番組又はホームページ等は申込情報を菩提寺の双方向型テレビ又はコンピュータ又はモバイル通信端末又は携帯電話等（以下菩提寺の端末）３に送信する。菩提寺は申込情報を確認し檀家に指定され日時にお経や画像１２を送信する。
図２は番組又はホームページが申込情報を菩提寺に送信するのではなく、菩提寺が番組又はホームページ等にアクセスして申込情報を入手する例である。
図３は菩提寺からのお経や画像の送信を仲介者を介さず直接檀家へ送信する例を示す。
図４は番組又はホームページを介さずに檀家と菩提寺が直接お経や画像を授受する場合の情報の流れを示す。この場合３は菩提寺の端末でも良いが、菩提寺が運営する番組又はホームページ等にする方がお経や画像の授受が効率的になる。
図５は申込情報に菩提寺の指定がなかった場合の例を示す。仲介者は申込情報の宗派に所属する寺の端末４にお経や画像の送信を依頼する。
図６に菩提寺の指定がなかった場合の例を示す。
仲介者は各宗派のお経や画像をあらかじめ準備しておきその中から指定された宗派に適したお経や画像を檀家に送信する。
図７は申込の取消しの情報の流れを示す。
檀家が一度お経を申込んだ後、檀家の端末から番組又はホームページにアクセスし取消し情報１４を入力する。番組又はホームページは菩提寺に取消し情報を送信し、お経の送信が取消される。
次に本発明で使用する番組又はホームページの申込画面の例を図８で説明する。２１のお経情報エリアと２２の申込人情報エリアに必要事項を入力する。入力後申込ボタン２３を押すと申込情報が送信される。菩提寺の指定がある場合は申込情報が菩提寺に自動送信される。菩提寺の指定がない場合は仲介者が同一宗派の寺を選んで送信する。菩提寺又は同一宗派の寺は送信された申込情報を見て指定された日時にお経や画像を送信する。菩提寺の指定がない場合仲介者が指定された日時にあらかじめ準備している各宗派のお経や画像を送信することもできる。申込後取消す場合はボタン２４を押すと取消し情報が番組又はホームページから菩提寺に送信される。途中保存する場合はボタン２５を押す。
図９により本発明が有する機能を説明する。
３１は画面表示機能で、申込情報１１、取消し情報１４の入力を檀家の端末に表示する。
３２は申込情報の保存機能で、申込情報１１、取消し情報１４の入力を仲介者の計算機に保存する。
３３は菩提寺への送信機能で、申込情報１１と菩提寺のデータベース３４を比較して合致した菩提寺の端末に申込情報１１、取消し情報１４を送信する。合致した菩提寺がない場合は檀家の端末に菩提寺なしの情報３５を送信する。
３６はお経の保存機能で、菩提寺の端末から送信されたお経や画像１２を仲介者の計算機に保存する。
３７はお経の送信機能で、申込情報１１の期日に檀家の端末にお経や画像１２を送信する。
３８もお経の送信機能であるが３７と異なり、該当する菩提寺がない場合に仲介者が有するお経のデータベースから申込情報１１の宗派に適したお経や画像３９を申込情報１１の期日に檀家の端末に送信する。
４０は情報呼出機能で、仲介者の計算機に保存されている申込情報１１、取消し情報１４を檀家の端末に呼出す。
【０００６】
【発明の効果】
本発明によれば、菩提寺と檀家が離れていても従来の訪問読経に近い感覚でお経や画像を授受することが出来る。また菩提寺がわからない檀家には同じ宗派の寺とお経や画像を授受することが出来る。
【図面の簡単な説明】
【図１】お経や画像の授受に関わる情報の流れを示す図
【図２】お経や画像の授受に関わる情報の流れを示す図
【図３】お経や画像の授受に関わる情報の流れを示す図
【図４】お経や画像の授受に関わる情報の流れを示す図
【図５】お経や画像の授受に関わる情報の流れを示す図
【図６】お経や画像の授受に関わる情報の流れを示す図
【図７】お経や画像の授受に関わる情報の流れを示す図
【図８】番組又はホームページ等の実施例
【図９】本発明の機能の説明
【図１０】従来のお経の授受の例
【符号の説明】
１…檀家の端末
２…仲介者が運営する番組又はホームページ
３…菩提寺の端末
４…申込情報の宗派に所属する寺の端末
５…檀家
６…菩提寺
１１…申込情報
１２…お経や画像
１３…アクセス
１４…取消し情報
１５…読経依頼
１６…檀家訪問
２１…お経情報エリア
２２…申込人情報エリア
２３…申込ボタン
２４…取消しボタン
２５…途中保存ボタン
３１…申込情報表示機能
３２…申込情報保存機能
３３…申込情報送信機能
３４…菩提寺のデータベース
３５…菩提寺該当なしの情報
３６…お経保存機能
３７…お経配信機能
３８…菩提寺がない場合のお経配信機能
３９…仲介者が有するお経や画像
４０…情報呼出機能
【図１】
2004078871.tif 000003
【図２】
2004078871.tif 000004
【図３】
2004078871.tif 000005
【図４】
2004078871.tif 000006
【図５】
2004078871.tif 000007
【図６】
2004078871.tif 000008
【図７】
2004078871.tif 000009
【図８】
2004078871.tif 000010
【図９】
2004078871.tif 000011
【図１０】
2004078871.tif 000012